(57)【要約】【課題】  アダプタを取付部材と一体にスライドおよび旋回して、奥の方のアダプタを含むすべてのアダプタに光コードを容易に配線できるように構成する。【解決手段】  光配線収納箱の配線ベース４に光線路器具１０を設置する。光線路器具１０は光コード１３，１４を接続するための複数のアダプタ１６を備える。アダプタ１６をパネル１７の縦横両方向に配列して取り付け、パネル１７を一対の支柱１８によって配線ベース４上に支持する。支柱１８はパネル１７を縦方向（長手方向）の軸線周りで旋回可能に連結する連結軸と、連結軸を縦方向（支柱１８の長手方向）へスライド可能に案内する案内部とを備える。【選択図】        図２
2008164959.tif 000002
【特許請求の範囲】
【請求項１】
光コードを接続するための複数のアダプタを縦横に取り付けた取付部材と、取付部材を光コードの配線ベース上に支持する支持部材とを備え、支持部材に取付部材を横方向の軸線周りで旋回可能に連結する連結軸と、連結軸を縦方向へスライド可能に案内する案内部とを設けたことを特徴とする光線路器具。
【請求項２】
前記取付部材を配線ベースと略直角の中立姿勢で支持部材に対し分離可能に結合するラッチ部材を備えたことを特徴とする請求項１記載の光線路器具。
【発明の詳細な説明】
【技術分野】
【０００１】
本発明は、光配線収納箱等において光コードを接続するための複数のアダプタを備えた光線路器具に関する。
【背景技術】
【０００２】
従来、複数のアダプタを光配線収納箱内の配線ベース上に縦横に配列してネジで固定的に取り付けた光配線器具が知られている（例えば、特許文献１）。また、複数のアダプタを縦横に取り付けた取付部材を光配線収納箱内の可動式配線ベース上に固定的に設置した光線路器具も知られている（例えば、特許文献２）。
【０００３】
図５に示すように、後者の光線路器具５１は配線ベース（可動式トレイ）５２上に取付部材５３を固定的に備え、取付部材５３に複数のアダプタ５４が縦横に取り付けられている。配線ベース５２は光配線収納箱５５に前後へ出し入れ自在に支持され、配線ベース５２を手前に引き出した状態で、光コード５６をアダプタ５４に接続して配線作業を行うようになっている。
【特許文献１】特開２００５−２４６５７号公報
【特許文献２】特開２００５−５５７４８号公報
【発明の開示】
【発明が解決しようとする課題】
【０００４】
ところが、従来の光線路器具５１によると、取付部材５３が配線ベース５２上に固定されているため、配線ベース５２を手前に引き出したとしても、奥の方のアダプタ５４、特に下段のアダプタ５４が見えにくく、光コード５６の配線作業に困難を伴うという問題点があった。
【０００５】
本発明の目的は、上記課題を解決し、アダプタを取付部材と一体にスライドおよび旋回し、奥の方のアダプタを含むすべてのアダプタに光コードを容易に配線できる光線路器具を提供することにある。
【課題を解決するための手段】
【０００６】
上記の課題を解決するために、本発明の光線路器具は、光コードを接続するための複数のアダプタを縦横に取り付ける取付部材と、取付部材を光コードの配線ベース上に支持する支持部材とを備え、支持部材に取付部材を横方向の軸線周りで旋回可能に連結する連結軸と、連結軸を縦方向へスライド可能に案内する案内部とを設けたことを特徴とする。
【０００７】
ここで、光線路器具の設置形態は特に限定されず、例えば、光線路器具を光配線収納箱内に収めた形態で設置してもよく、壁面等に露出する形態で設置してもよい。配線ベースとしては、光配線収納箱の一部を構成するパネル、収納箱内に設けられた配線用プレート、または収納箱内に出入自在に設けられた可動トレイ等を例示できる。
【０００８】
いずれの部材を配線ベースとして使用する場合も、光コードを配線した後にアダプタが動かないように、取付部材をラッチ部材で支持部材に対し分離可能に結合して、配線ベースと略直角の中立姿勢に保持できるように構成するのが好ましい。
【発明の効果】
【０００９】
本発明の光線路器具によれば、複数のアダプタが取り付けられた取付部材を支持部材に対し縦方向にスライドすることも、横方向の軸線周りで旋回することも可能である。このため、奥の方のアダプタを含むすべてのアダプタを作業者の見やすい位置に配置して、光コードの配線作業を容易に行うことができる。
【発明を実施するための最良の形態】
【００１０】
以下、本発明を実施するための最良の形態を図面に基づいて説明する。図１は光線路器具が内装された光配線収納箱の外観を示す。図２は図１の光配線収納箱から扉を外して本体パネル上の各種配線器具を示す。図３は図２の本体パネル上に設置された光線路器具のスライド形態を示す。図４は図３の光線路器具の旋回形態を示す。
【００１１】
図１に示すように、この実施形態の光配線収納箱１は本体パネル２と扉３とから薄箱形に構成され、内側に多数本の光コードを収納するようになっている。本体パネル２は建物の壁面等に取り付けられ、その前面開口部が扉３によって開閉可能に覆われている。
【００１２】
図２に示すように、本体パネル２は光配線収納箱１の背面を覆う配線ベース４と、収納箱１の側面を覆う左右一対の側壁５とを備えている。配線ベース４の前面には光ファイバ芯線６の入線側から順に、ケーブル押え７、テンションメンバ押え８、融着トレイ９、光線路器具１０、コードホルダ１１、コードクランプ１２等の各種配線器具が配設されている。
【００１３】
そして、融着トレイ９で入線側の光ファイバ芯線６を一次側コネクタ付光コード１３に融着するための作業が行われ、光線路器具１０で一次側コネクタ付光コード１３を二次側コネクタ付光コード１４に接続するための配線作業が行われる。なお、融着トレイ９、光線路器具１０の数および設置位置は図示例に限定されず、光ファイバ芯線６の本数に応じて適宜に変更することができる。
【００１４】
図３、図４に示すように、光線路器具１０は一次および二次側のコネクタ付光コード１３，１４を接続するための複数のアダプタ１６を備えている。アダプタ１６は取付部材としての長方形のパネル１７の横方向（長手方向）に例えば６個、縦方向（幅方向）に例えば２個取り付けられ、合計１２個のアダプタ１６の両端面に光コード１３，１４が接続される。ただし、アダプタ１６の個数は図示例に限定されず、光コード１３，１４の本数に応じて適宜に変更可能である。
【００１５】
パネル１７は支持部材としての一対の支柱１８により配線ベース４の前面に支持されている。支柱１８はコ字形に形成され、下端にてネジ１９で配線ベース４に固定されている。支柱１８には、パネル１７を横方向（図３の上下方向）の軸線周りで旋回可能に連結する連結軸としての軸ネジ２０と、軸ネジ２０を縦方向（図３の左右方向、支柱１８の長手方向）へスライド可能に案内する案内部としてのスリットまたは長孔２１（図４参照）とが設けられている。
【００１６】
支柱１８とパネル１７の側部折曲片２３との間には樹脂製のスペーサ２４（図３ａ参照）が介装され、軸ネジ１９が支柱１８の長孔２１とスペーサ２４とを通して折曲片２３の基端部に螺着されている。パネル１７の先端折曲片２５には上下一対のラッチ部材２６が装着され、ラッチ部材２６を支柱１８の穴２７（図３ｂ参照）に係脱することで、パネル１７が支柱１８に対し分離可能に結合され、結合状態で配線ベース４と略直角の中立姿勢に保持される。
【００１７】
上記構成の光線路器具１０によれば、パネル１７を中立姿勢に保持した状態でコネクタ付光コード１３，１４をアダプタ１６に接続することもできるし、アダプタ１６と一緒にパネル１７を倒した状態で光コード１３，１４の配線作業を行うことも可能である。パネル１７を倒す場合は、ラッチ２６を支柱１８の穴２７から外し、パネル１７を手前にスライドして引き出した後に（図３ｂ、図４ｂ参照）、左右どちらかに旋回して倒す（図４ｃ参照）。
【００１８】
こうすれば、作業者はパネル１７の奥の方つまり配線ベース４側のアダプタを含むすべてのアダプタ１６を光配線収納箱１の前面側を向く見やすい位置に配置して、所要のアダプタ１６に光コード１３，１４を楽に配線することができる。また、パネル１７を配線ベース４から離れる方向へスライドした後に旋回するので、接続済みの光コード１３，１４を無理に折れ曲げることなく、配線作業を安全かつ円滑に行うこともできる。
【００１９】
配線作業が終了したのちは、パネル１７を立て、配線ベース４側にスライドして、ラッチ部材２６を支柱１８の穴２７に係止し、パネル１７を中立位置に保持する（図４ａ参照）。この状態では、ラッチ部材２６によってパネル１７が支柱１８に対し移動不能に結合されるので、多数本の光コード１３，１４を光配線収納箱１の内側に整然と収納することができる。
【００２０】
なお、本発明は上記実施形態に限定されるものではなく、例えば、光線路器具１０を配線ベース４に横向きに設置したり、光配線収納箱に出入自在に設けた可動式のトレイやケースの内部に光線路器具１０を設置するなど、本発明の趣旨を逸脱しない範囲で、各部の構成や形状を適宜変更して実施することも可能である。
【図面の簡単な説明】
【００２１】
【図１】本発明の一実施形態を示す光配線収納箱の斜視図である。
【図２】該収納箱の本体パネルを示す正面図である。
【図３】図２のＡ−Ａ線から見た光線路器具の側面図である。
【図４】図２のＢ−Ｂ線から見た光線路器具の平面図である。
【図５】従来の光線路器具を示す斜視図である。
【符号の説明】
【００２２】
１    光配線収納箱
４    配線ベース
１０    光線路器具
１６    アダプタ
１７    パネル
１８    支柱
２０    軸ネジ
２１    長孔
２６    ラッチ部材
【図１】
2008164959.tif 000003
【図２】
2008164959.tif 000004
【図３】
2008164959.tif 000005
【図４】
2008164959.tif 000006
【図５】
2008164959.tif 000007